(57)【要約】【課題】  便器や排水口など、構造上せまい部分を有する硬表面の洗浄に適したスクイズ容器入り液体洗浄剤製品を提供する。【解決手段】  内容液となる液体洗浄剤を充填する胴部１０と、液体洗浄剤を被洗浄対象面にかけやすくするための頸部２０とを備えたスクイズ容器入り液体洗浄剤製品であって、該スクイズ容器３０は、液体洗浄剤排出口２１から胴部１０上端までの頸部の長さＴ１1が５０ｍｍ以上であり、頸部２０の最大径が５０ｍｍ以下であり、かつ、内容液排出後の胴部１０厚さの復元速度が１５００ｍｍ／ｓｅｃ以上に設定してなることを特徴とするスクイズ容器入り液体洗浄剤製品Ａ。【選択図】  図１
2005096839.tif 000002
【特許請求の範囲】
【請求項１】
内容液となる液体洗浄剤を充填する胴部と、液体洗浄剤を被洗浄対象面にかけやすくするための頸部とを備えたスクイズ容器入り液体洗浄剤製品であって、該スクイズ容器は、液体洗浄剤排出口から胴部上端までの頸部の長さが５０ｍｍ以上であり、頸部の最大径が５０ｍｍ以下であり、かつ、内容液排出後の胴部厚さの復元速度が１５００ｍｍ／ｓｅｃ以上に設定してなることを特徴とするスクイズ容器入り液体洗浄剤製品。
【請求項２】
頚部が胴部に対して非対称な位置に配置されている請求項１記載のスクイズ容器入り液体洗浄剤製品。
【請求項３】
内部に充填されている液体洗浄剤の２５℃におけるＨａａｋｅ  ＲＳ−１００粘度計で測定した０．５ｓｅｃ-1のせん断速度下での粘度が、８０ｍＰａ・ｓ以上であり、かつ１０００ｓｅｃ-1のせん断速度下での粘度が２０ｍＰａ・ｓ以下である請求項１又は２記載のスクイズ容器入り液体洗浄剤製品。
【発明の詳細な説明】
【技術分野】
【０００１】
本発明は、便器や排水口など、構造上狭い部分を有する硬表面等の洗浄に適した、スクイズ容器入り液体洗浄剤製品に関する。
【背景技術】
【０００２】
従来より、家庭の住宅用洗浄剤は、その洗浄対象となる用途によって汚れや使用方法が異なるため、家具用、ガラス用、油汚れ用からトイレ用、浴室用などの用途別に分けられている。
これらの洗浄剤は、通常、汚れに対して原液を直接噴霧等して用いられるが、汚れの種類に応じて、洗浄成分の異なる処方が用意されており、また、対象場所に応じて様々な製品形態が用いられている。
【０００３】
これらの製品形態としては、一般に、広い面での使用する際の利便性が高いスプレータイプが主流であるが、トイレの便器用や排水管用の洗浄剤においては、むしろ、比較的狭い部分が対象となるため、スクイズ容器等が使われている。
【０００４】
しかしながら、例えば、トイレの便器のふち裏や、キッチンの排水口は、構造上狭いがゆえに、洗浄剤が行き届きにくく、強固な汚れが蓄積しやすいといった問題がある。
このような狭い部分に付着した強固な汚れを洗浄するために、従来は洗剤をかけやすくするため、様々な容器形状の工夫が行われてきている。
【０００５】
例えば、図７（ａ）及び（ｂ）に示すように、容器を第１室部１ａと第２室部１ｂに仕切ることにより、洗剤液２を吐出口１ｃから吐出する際、容器１がどのような角度であっても、例えば、図７（ｂ）に示すように、部材縁部３の裏側部分であっても、任意方向に洗浄液２を吐出可能とする容器１（例えば、特許文献１参照）や、図８に示すように、注出口４を斜め上方へ向けた洗浄液収容容器５であって、該注出口４を斜め上方へ向けてトイレの便器６のふち裏部６ａ等に向けることにより洗浄液２の注出方向の制御を容易にする容器５（例えば、本願出願人による特許文献２参照）が知られている。
【０００６】
しかしながら、これらの文献１及び２に記載される容器１又は５は、洗剤液２を吐出する際、容器の角度をかえることで、その方向性を制御することが可能であるが、例えば、便器のふち裏のような狭い部分へ洗剤液を届かせるためには、容器の角度を自由に動かすスペースが制限されているため、未だ使用性に課題があるものであり、また、文献１に記載される容器１では、１回で吐出する量が限定されるという課題があり、更に、文献２に記載される容器では注口が斜め方向に向いているため、液体洗浄剤をかける方向の認知性に若干課題がある。
【０００７】
また、スクイズ容器は、手で容器を押圧（スクイズ）することによって液体洗浄剤などを排出することを可能とするものであり、例えば、図９に示すように、多数の刷毛を有する塗布部材７を備えた高密度ポリエチレン製のスクイズボトルにより、弾性復元力を有する容器８（例えば、特許文献３参照）が知られている。
【０００８】
しかしながら、上記文献３に記載されるスクイズ容器８等では、液体洗浄剤２の１回あたりの使用量が少ない場合は特に問題とならないが、比較的多量の液体洗浄剤の排出が必要（トイレの場合は１回あたり２０ｍＬと想定）とされる場合には、次回の使用時までにあるいは使用後キャップをする短時間の間に容器の厚みが復元しない限り、次回使用時に凹んだままスクイズすることになるので、スクイズがしにくいといった課題がある。更に、押圧力を強くして液体洗浄剤の排出量が更に多い場合や、液体洗浄剤の付着性を良好とするために、液体洗浄剤の粘度が高い場合には、容器の厚みの復元が遅くなり、上記課題が頻繁に生じることが想定される。
【特許文献１】特開昭５７−５５８５０号公報（特許請求の範囲、実施例等）
【特許文献２】特開平７−４１０２７号公報（特許請求の範囲、実施例等）
【特許文献３】特開平１０−５２３２１号公報（特許請求の範囲、実施例等）
【発明の開示】
【発明が解決しようとする課題】
【０００９】
本発明は、上記従来技術の課題等に鑑み、これを解消しようとするものであり、便器や排水口など、構造上狭い部分を有する硬表面等を洗浄する際も液体洗浄剤かけやすいくなり、使用性に優れたスクイズ容器入り液体洗浄剤製品を提供することを目的とする。
【課題を解決するための手段】
【００１０】
本発明者らは、上記従来の課題等を解決するために、鋭意検討した結果、狭い部分にも液体洗浄剤をかけやすくするためには、洗剤液を収納するための胴部の他に、頸部部分を持たせることで、対象とする狭い部分へのかけるための操作性が著しく向上し、更に、必要量の内容液を排出するためスクイズした際、胴部に凹みを生じてしまうが、速やかに元の形状に復元するために、凹みに対する復元速度を特定値以上になるよう設計することで、上記目的のスクイズ容器入り液体洗浄剤製品が得られることを見い出し、更に、頸部に非対称性を持たせることで、かける方向に対する認知性をも更に向上させることができることを見い出し、本発明を完成するに至ったのである。
【００１１】
すなわち、本発明は、次の（１）〜（３）に存する。
（１）内容液となる液体洗浄剤を充填する胴部と、液体洗浄剤を被洗浄対象面にかけやすくするための頸部とを備えたスクイズ容器入り液体洗浄剤製品であって、該スクイズ容器は、液体洗浄剤排出口から胴部上端までの頸部の長さが５０ｍｍ以上であり、頸部の最大径が５０ｍｍ以下であり、かつ、内容液排出後の胴部厚さの復元速度が１５００ｍｍ／ｓｅｃ以上に設定してなることを特徴とするスクイズ容器入り液体洗浄剤製品。
（２）頚部が胴部に対して非対称な位置に配置されている上記（１）記載のスクイズ容器入り液体洗浄剤製品。
（３）内部に充填されている液体洗浄剤の２５℃におけるＨａａｋｅ  ＲＳ−１００粘度計で測定した０．５ｓｅｃ-1のせん断速度下での粘度が、８０ｍＰａ・ｓ以上であり、かつ１０００ｓｅｃ-1のせん断速度下での粘度が２０ｍＰａ・ｓ以下である上記（１）又は（２）記載のスクイズ容器入り液体洗浄剤製品。
【発明の効果】
【００１２】
本発明によれば、便器や排水口など、構造上狭い部分を有する硬表面等を洗浄する際も液体洗浄剤かけやすいくなり、使用性に極めて優れたスクイズ容器入り液体洗浄剤製品が提供される。
【発明を実施するための最良の形態】
【００１３】
以下に、本発明の実施形態を図面を参照しながら詳しく説明する。
図１〜図３は、本発明のスクイズ容器入り液体洗浄剤製品の実施形態の一例を示すものであり、図１（ａ）及び（ｂ）は、正面図、側面図であり、図２（ａ）は、平面図、（ｂ）は、図１（ａ）のＸ−Ｘ線断面図、（ｃ）は、図１（ａ）のＹ−Ｙ線断面図であり、図３は、使用状態（スクイズ状態）を示す側面図である。
【００１４】
本実施形態のスクイズ容器入り液体洗浄剤製品Ａは、図１（ａ）及び（ｂ）に示すように、内容液となる液体洗浄剤（単に「洗剤」という）を充填する胴部１０と、洗剤を被洗浄対象面にかけやすくするための頸部２０とを備えたスクイズ容器３０から構成されている。
頸部２０は、内容液である洗剤を狭い部分にかけやすくするための部分であり、少なくとも排出口２１から胴元１０の上端部までの頸部の長さＴ１を５０ｍｍ以上とし、かつ、頸部２０の最大径を５０ｍｍ以下とすることが必要である。好ましくは、更に狭い部分での使用性、操作性を更に発揮せしめる点、容器強度及び容器の成形性確保の点から、頸部の長さＴ１を６０〜９０ｍｍとし、頸部２０の最大径を３５〜５０ｍｍとすることが望ましい。
この頸部２０の長さＴ１が５０ｍｍ未満の場合には、狭い部分に供給するための十分な長さが確保されないため、好ましくない。また、頸部２０の最大径が５０ｍｍを超える場合には、狭い部分を洗浄するのには、頸部の太さが障害となりうるので、必ずしも好ましくはない。
【００１５】
また、頸部２０の位置としては、洗剤をかける際の方向性に関しての認知性を、更に高めるため、図１及び図２（ａ）に示すように、頸部２０の中心線が胴部２０の中心線からずれていること、すなわち、頸部２０が胴部１０に対して非対称な位置に付随させることが好ましい。更に好ましくは、頸部２０の中心線が胴部２０の中心線から幅Ｗの１５％に相当する長さ以上ずれていることが更に望ましい。
【００１６】
本発明のスクイズ容器３０において、胴部１０は洗剤の充填部分に相当し、実際に使用する場合は図３に示すように、胴部１０を手等でスクイズ（内側に押圧）することにより、必要量（１０〜１００ｍＬ）の洗剤を排出、具体的には、トイレに使用する場合は便器のふち裏周囲をかけるためには２０ｍＬを必要とする洗剤を排出するものである。この際、排出量に相当する容量の凹みが胴部１０に生じることになるが、この凹み（図３の点線部分）は、次回使用時のスクイズ性を損なうため、速やかに容器を厚さを復元させる必要がある。
【００１７】
本実施形態では、連続して使用する場合を考慮し、２０ｍＬの場合に、使用後に生じる凹みに対し、胴部１０の厚さが１５００ｍｍ／ｓｅｃ以上（〜３５００ｍｍ／ｓｅｃ）の速さで復元するように設定されている。
この復元速度が１５００ｍｍ／ｓｅｃ未満の場合には、十分に凹んでしまった容器の厚みが十分に復元しないため、次回使用時のスクイズ性が劣化してしまい、液をかけにくくなってしまう。また、この復元速度に設定されていると、使用後も短時間で元の状態に戻り、キャップを装着する時間も短縮することとなる。
【００１８】
この胴部１０厚さの復元速度は、主にスクイズ容器の材質、胴部１０の厚み、胴部１０の曲率半径に支配されるが、内容液に影響を及ぼすことなく、製品として不具合がなければ、特にどのような方法（形状、材質、構造等）で実現してもよい。特に、成形のしやすさ、耐久性、経済性等を考慮すれば、容器材質はポリエチレン（ＰＥ）、ポリプロピレン（ＰＰ）等のポリオレフィン系の樹脂が好ましく、また、胴部１０の厚みは０．２ｍｍ〜２ｍｍの範囲内であることが好ましい。
【００１９】
なお、本発明において、上記容器の復元速度（後述する実施例等を含む）は、工学的解析プログラム（ＬＳ-ＤＹＮＡ３Ｄ：米国ＬＳＴＣ社）を用いて排出時の復元最大速度の解析により測定したものであり、容器材質はポリエチレン相当（ヤング率９５ｋｇ／ｃｍ2、ポアソン比０．３５）、使用量は２０ｍＬと想定して測定した値である。
更に、この測定方法を詳述すると、ＦＥＭ（Finite  Element  Method：有限要素法）の理論により計算機にて珪酸するものであり、複雑な形状を細分割し、単純な形状、即ち、三角形、四角形、三角錐、三角柱、直方体の集合体として表現し、これら単位形状内で発生する事象の積分値として形状全体の事象を解析するものである。この手法は工業設計部門において日常的に使用される技術である。本実施例においては、容器復元時の最大速度が復元特性を表現していることが予見されていたが、極めて短時間に発生する事象であり物理的に計測が困難であったため、本手法を用い解析を行ったものである。
【００２０】
この胴部１０厚さの復元速度は、主にスクイズ容器の材質、胴部１０の厚み、胴部１０の曲率半径に支配されるが、内容液に影響を及ぼすことなく、製品として不具合がなければ、特にどのような方法（形状、材質、構造等）で実現してもよい。特に、成形のしやすさ、耐久性、経済性等を考慮すれば、容器材質はポリエチレン（ＰＥ）、ポリプロピレン（ＰＰ）等のポリオレフィン系の樹脂が好ましく、また、胴部１０の厚みは０．２ｍｍ〜２ｍｍの範囲内であることが好ましい。
【００２１】
更に、胴部１０の（平均）曲率半径（Ｒ）については、成形性も考慮し、（平均）曲率半径（Ｒ）５０〜１００ｍｍ、より好ましくは、６０〜９０ｍｍとすることが望ましい。この（平均）曲率半径（Ｒ）が５０ｍｍ未満の場合には、容器の成型自体が困難であるため実用的でなく、また、（平均）曲率（Ｒ）が１００ｍｍを超える場合には、復元速度が不十分であり、このような頸部２０のついたボトルとしては不適である。
【００２２】
本実施形態では、胴部１０の曲率半径（Ｒ）は、図２（ｂ）及び（ｃ）に示すように設定されており、復元速度は３５００ｍｍ／ｓｅｃに設定されている。また、スクイズ容器３０の具体的寸法等を図１（ａ）に基づいて説明すると、長さ（高さ）Ｔ：２３０．６５ｍｍ、Ｔ１：７７．９１ｍｍ、Ｔ２：１２８ｍｍ、幅Ｗ：８５ｍｍ、Ｗ１：６９．７４ｍｍである。
図４は、本発明の別の実施形態を示すスクイズ容器であり、各寸法は上記と同一であるが、胴部の曲率半径（Ｒ）は、図４（ａ）及び（ｂ）に示すように設定されており、この場合の復元速度は１６００ｍｍ／ｓｅｃに設定されている。
【００２３】
次に、本発明の内容物である洗剤（液体洗浄剤）に関して説明する。
充填する洗剤は、対象用途により洗浄成分、処方等は異なるが、狭い部分の蓄積した汚れに対し、洗剤を効果的作用させるためには、洗剤をかけた後、対象面に付着滞留させることが必要であり、好ましくは、内部に充填されている液体洗浄剤の２５℃におけるＨａａｋｅ  ＲＳ−１００粘度計で測定した０．５ｓｅｃ-1のせん断速度下での粘度が、８０ｍＰａ・ｓ以上であることが望ましく、また、容器の復元速度を高めるためには、内容液自身の流動性を高めることも必要であり、せん断速度が１０００ｓｅｃ-1以上のせん断速度下での粘度が、８０ｍＰａ・ｓ以下であるものが好ましい。
【００２４】
この０．５ｓｅｃ-1のせん断速度下での粘度が、８０ｍＰａ・ｓ未満の場合は、対象面への付着性に乏しく、また、せん断速度が１０００ｓｅｃ-1以上のせん断速度下での粘度が、２０ｍＰａ・ｓを越える場合には、特に、頸部２０に内容液がたまった際に、ボトルの厚みを復元するための気道の確保を阻害することで、復元速度を遅くする因子となりうるため、好ましくない。
更に好ましくは、０．５ｓｅｃ-1のせん断速度下での粘度が、１００〜２０００ｍＰａ・ｓであり、１０００ｓｅｃ-1のせん断速度下での粘度が５〜１５ｍＰａ・ｓの各範囲に設定されているものが更に望ましい。
【００２５】
本発明に用いる洗剤の粘度調整方法としては、有機系高分子、無機系粘土鉱物等の増粘剤の使用や界面活性剤等の使用により実現可能であるが、特に洗剤の機能を損なうようなものでなければ、どの方法を用いてもよい。高分子の例としてはキサンタンガム、グアーガム等に代表される天然多糖類系高分子、ヒドロキシエチルセルロース、カルボキシメチルセルロース、カチオン化セルロース、ポリアクリル酸塩及びアクリル酸系共重合体、ポリスチレン酸塩等のスチレン酸系共重合体、ポリビニルアルコール、ポリビニルピロリドン、キトサン等の合成高分子等が挙げられるが、水溶性のものが好適であり、含有量が少なく済むという利点から平均分子量が １０万〜１０００万万程度の高分子が好ましい。
【００２６】
本発明に用いる洗浄成分としては、洗浄効果を有するものであれば、特に限定されるものではないが、例えば、トイレ用であれば、グリコール酸、ジグリコール酸、グルコン酸、シュウ酸、リンゴ酸、クエン酸、乳酸、酒石酸、酢酸、ヒドロキシエタンジホスホン酸、マロン酸、塩酸、硫酸、硝酸、リン酸、トリポリリン酸、スルファミン酸等の酸成分、次亜塩素酸ナトリウム等の塩素系漂白剤成分、過酸化水素等の酸素漂白剤成分、水酸化ナトリウム、水酸化カリウム等のアルカリ剤成分、アミノカルボン酸、ポリカルボン酸塩、ポリリン酸塩等のキレート剤成分、炭酸カルシウム、シリカ、アルミナ等の研磨剤等が挙げられ、これらは好適に組み合わせて用いることができる。
【００２７】
本発明では、洗浄成分、起泡等の目的で洗剤中に適宜各種の界面活性剤を含有してもよい。用いることができる界面活性剤としては、例えば、陰イオン性界面活性剤であれば、硫酸アルキル塩、硫酸アルキルポリオキシエチレン塩、アルキルベンゼンスルホン酸塩、α−オレフィンスルホン酸塩、脂肪酸塩、α−スルホ脂肪酸塩、エーテルカルボン酸塩、リン酸アルキル塩、リン酸アルキルポリオキシエチレン塩、ジアルキルスルホコハク酸エステル塩、スルホコハク酸アルキル塩、アルケニルコハク酸塩、Ｎ−アシルアミノ酸塩、Ｎ−アシルメチルタウリン塩等が挙げられる。
また、陽イオン性界面活性剤であれば、例えば、アルキルトリメチルアンモニウム塩、ジアルキルジメチルアンモニウム塩、アルキルアンモニウム塩、ベンザルコニウム塩、ベンゼトニウム塩、ピリジニウム塩、イミダゾリニウム塩等が挙げられる。
【００２８】
更に、両性界面活性剤であれば、例えば、アルキルカルボキシベタイン、アルキルスルホベタイン、アルキルヒドロキシスルホベタイン、アルキルアミドベタイン、イミダゾリニウムベタイン等が挙げられる。
更にまた、非イオン性界面活性剤であれば、例えば、ポリオキシエチレンアルキルエーテル、ポリオキシエチレンポリオキシプロピレンアルキルエーテル、ポリオキシエチレンアルキルフェニルエーテル、脂肪酸ポリグリセリンエステル、脂肪酸ショ糖エステル、脂肪酸アルカノールアミド、アルキルアミンオキサイド、アミドアミンオキサイド等が挙げられる。
【００２９】
本発明の洗剤組成には、更に、その他任意成分として、本発明の効果を損なわない範囲で、水溶性溶剤、香料、色素、酸化防止剤、防腐剤、防黴剤、酵素等を必要に応じて含有してもよく、残部は水（精製水、蒸留水、イオン交換水、純水、超純水等）で調製される。
【００３０】
このように構成される本発明のスクイズ容器入り液体洗浄剤製品では、上述の如く、内容液となる液体洗浄剤を充填する胴部と、液体洗浄剤を被洗浄対象面にかけやすくするための頸部とを備えたスクイズ容器は、液体洗浄剤排出口から胴部上端までの頸部の長さが５０ｍｍ以上に設定されるとともに、頸部の最大径が５０ｍｍ以下であり、かつ、内容液排出後の胴部厚さの復元速度が１５００ｍｍ／ｓｅｃ以上に設定されているので、洗浄対象とする狭い部分へかけるための操作性が著しく向上し、更に、必要量の内容液を排出するためスクイズした際、胴部に凹みを生じてしまうが、速やかに元の形状に復元するため使用性に優れたものとなる。更に、頸部に非対称性を持たせることで、かける方向に対する認知性も更に向上させることができる。
また、内部に充填されている液体洗浄剤の２５℃におけるＨａａｋｅ  ＲＳ−１００粘度計で測定した０．５ｓｅｃ-1のせん断速度下での粘度を、８０ｍＰａ・ｓ以上とし、かつ１０００ｓｅｃ-1のせん断速度下での粘度を２０ｍＰａ・ｓ以下であるものを用いることにより、洗浄対象面への付着性滞留性が更に向上して優れた洗浄効果を発揮せしめることができると共に、頸部に内容液がたまった際に、ボトルの厚みを復元するための気道の確保が十分確保されて、復元速度の阻害因子とならず、使用性が更に向上するものとなる。
【実施例】
【００３１】
次に、実施例及び比較例により本発明を更に詳細に説明するが、本発明は下記実施例等に限定されるものではない。
【００３２】
〔実施例１〜４及び比較例１〜４〕
用いたスクイズ容器Ａ〜Ｄは、下記表１及び図１〜図６に示す材質、寸法、内容量、容器復元速度等となる特性のものを用いた。なお、スクイズ容器Ｃの全長（Ｔ）は２３０ｍｍ、幅（Ｗ）は５５ｍｍである。
また、スクイズ容器Ａ〜Ｄに充填する液体洗浄剤組成ａ〜ｄは、下記表２に示す配合組成、粘度のものを用いた。
【００３３】
容器復元速度は、上述の如く、工学的解析プログラム（ＬＳ-ＤＹＮＡ３Ｄ：米国ＬＳＴＣ社）を用いて排出時の復元最大速度の解析により測定した。
また、粘度の測定は、ＨＡＡＫＥ  ＦＩＯＳＯＮＳ社製の粘度計（Ｒｈｅｏ  Ｓｔｒｅｓｓ  Ｒｓ−１００）を用いて下記表２の各洗剤（組成物）の粘度を測定した。コーンプレートはＣ３５／４°を用い、試料量は約０．５ｍＬとし、せん断速度は０〜３０００ｓｅｃ-1／１０分、３０００〜０ｓｅｃ-1／１０分で測定を行い、往路時における１０００ｓｅｃ-1の粘度と帰路時における０．５ｓｅｃ-1における粘度を求めた。
【００３４】
下記表３に示すスクイズ容器Ａ〜Ｄ及び液体洗浄剤組成ａ〜ｄの組み合わせとなるスクイズ容器入り液体洗浄剤製品を調製し、下記各評価方法により、狭い部分へのかけやすさ評価（トイレふち裏へのかけやすさ、排水口へのかけやすさ、方向の認知性）、容器の厚み復元性、内容液である洗剤の付着性について評価した。
これらの結果を下記表３に示す。
【００３５】
＜狭い部分へのかけやすさ評価方法＞
（トイレ、ふち裏へのかけやすさ評価方法）
各実施例及び比較例の容器に、それぞれ内容液２００ｇを充填し、洋式便器（ＴＯＴＯ社製５１７ＢＲ）のふち裏部に対し、１周全体へ洗剤が届くように洗剤をかけ、そのときのかけやすさについて、女性１０人で下記評価基準に基づいて評価した。
評価基準：
◎：８０％以上のパネラーがかけやすいと感じた。
○：６０％〜７９％のパネラーがかけやすいと感じた。
△：４０％〜５９％のパネラーがかけやすいと感じた。
×：３９％以下のパネラーがかけやすいと感じた。
【００３６】
（排水口へのかけやすさ評価方法）
各実施例及び比較例の容器に、それぞれ内容液２００ｇを充填し、キッチン排水口のストレーナー（口径１１４ｍｍ）の内側部に対し、１周全体へ洗剤が届くように洗剤をかけ、そのときのかけやすさについて女性１０人で下記評価基準に基づいて評価した。
評価基準：
◎：８０％以上のパネラーがかけやすいと感じた。
○：６０％〜７９％のパネラーがかけやすいと感じた。
△：４０％〜５９％のパネラーがかけやすいと感じた。
×：３９％以下のパネラーがかけやすいと感じた。
【００３７】
（方向の認知性の評価方法）
頸部の位置（胴部に対する対称性）が異なる、各実施例及び比較例の容器にそれぞれ内容液２００ｇを充填し、洋式便器（ＴＯＴＯ社製５１７ＢＲ）のふち裏部に対して洗剤をかける際、正しい方向（ノズルが向いている）方向に液を排出するかについて、女性１０人のパネラーで下記評価基準に基づいて評価した。
評価基準：
◎：全員が正しい方向に排出した。
○：９０％〜９９％のパネラーが正しい方向に排出した。
△：７０％〜８９％のパネラーが正しい方向に排出した。
×：６９％以下のパネラーが正しい方向に排出した。
【００３８】
（容器の厚みの復元性評価方法）
各実施例及び比較例の容器に、それぞれ内容液２００ｇを充填し、洋式便器（ＴＯＴＯ社製５１７ＢＲ）のふち裏部に対し、１周全体へ洗剤が届くように洗剤をかけた後、直ちにキャップをするとき、使用前と使用後の厚みを測定し、以下の式に従い、復元率を求め、下記評価基準に基づいて評価した。
復元率（％）＝〔使用後の厚み／使用前の厚み〕×１００
評価基準：
◎：復元率９５％以上
○：復元率９０〜９５％未満
△：復元率８０〜９０％未満
×：復元率８０％未満
【００３９】
（内容液の付着性の評価方法）
各実施例及び比較例の容器にそれぞれ内容液２００ｇを充填し、洋式便器（ＴＯＴＯ社製５１７ＢＲ）のふち裏部に対し、１周全体へ洗剤が届くように洗剤をかけた後、２分放置後のふち裏への付着実感を女性１０人パネラーで目視により下記評価基準に基づいて官能評価した。
評価基準：
◎：８０％以上のパネラーが付着実感に満足した。
○：６０％〜７９％のパネラーが付着実感に満足した。
△：４０％〜５９％のパネラーが付着実感に満足した。
×：３９％以下のパネラーが付着実感に満足した。
【００４０】
【表１】
2005096839.tif 000003
【００４１】
【表２】
2005096839.tif 000004
【００４２】
【表３】
2005096839.tif 000005
【００４３】
上記表１〜表３の結果から明らかなように、本発明の範囲となる実施例１〜４は、本発明の範囲外となる比較例１〜４に較べて、狭い部分（トイレふち裏、排水口）にかけやすく、また、方向の認知性も良好であり、更に、容器の厚み復元性及び内容液である洗剤の付着性も良好となることが判明した。
【図面の簡単な説明】
【００４４】
【図１】本発明のスクイズ容器入り液体洗浄剤製品の実施形態の一例を示すものであり、（ａ）は正面図、（ｂ）は側面図である。
【図２】（ａ）は、図１の平面図、（ｂ）は、図１（ａ）のＸ−Ｘ線断面図、（ｃ）は、図１（ａ）のＹ−Ｙ線断面図である。
【図３】図１の使用状態（スクイズ状態）を示す側面図である。
【図４】本発明のスクイズ容器入り液体洗浄剤製品の実施形態の他例を示し、図２（ｂ）及び（ｃ）に準拠するものであり、（ａ）は図１（ａ）と同様のＸ−Ｘ線断面図、（ｂ）は、図１（ａ）と同様のＹ−Ｙ線断面図である。
【図５】（ａ）及び（ｂ）は、比較例１及び２に用いたスクイズ容器の正面図、側面図である。
【図６】比較例３及び４に用いたスクイズ容器入り液体洗浄剤製品を示し、図２（ｂ）及び（ｃ）に準拠するものであり、（ａ）は図１（ａ）と同様のＸ−Ｘ線断面図、（ｂ）は、図１（ａ）と同様のＹ−Ｙ線断面図である。
【図７】（ａ）及び（ｂ）は、従来例を示す縦断面図、使用状態断面図である。
【図８】他の従来例を示す使用状態断面図である。
【図９】他の従来例を示す縦断面図である。
【符号の説明】
【００４５】
Ａ  スクイズ容器入り液体洗浄剤製品
１０  胴部
２０  頸部
３０  スクイズ容器
【図１】
2005096839.tif 000006
【図２】
2005096839.tif 000007
【図３】
2005096839.tif 000008
【図４】
2005096839.tif 000009
【図５】
2005096839.tif 000010
【図６】
2005096839.tif 000011
【図７】
2005096839.tif 000012
【図８】
2005096839.tif 000013
【図９】
2005096839.tif 000014